(57)【要約】【課題】デザイン性に優れ、且つ、アンテナの飛び出しを抑制する携帯無線機を提供する。【解決手段】携帯無線機１０は、筐体１１、１２と、アンテナロッド１６及び該アンテナロッドの先端に支持されたアンテナトップ１７を有し、アンテナロッド１６が筐体１２に収容及び突出自在に支持されるホイップアンテナ１５とを備える。アンテナロッド１６が筐体１２内に収容され状態で、アンテナトップ１７の頂部を筐体１２に係止する係止部１４を筐体の表面部分に形成する。【選択図】図１
2011135304.tif 000002
【特許請求の範囲】
【請求項１】
筐体と、
アンテナロッド及び該アンテナロッドの先端に支持されたアンテナトップを有し、前記アンテナロッドが前記筐体に収容及び突出自在に支持されるアンテナとを備え、
前記アンテナロッドが前記筐体内に収容されたロッド収容状態で、前記アンテナトップの頂部を前記筐体に係止する係止部を前記筐体の表面部分に形成して成る携帯無線機。
【請求項２】
前記アンテナトップの頂部には、頂面と該頂面よりも低い低面とを区画する段差が形成され、
前記係止部が、前記ロッド収容状態で前記アンテナトップの低面を覆う庇状突起を含み、該庇状突起が前記アンテナトップの低面を覆う係止状態では、前記庇状突起の上面と前記アンテナトップの頂面とが略同一平面内にある、請求項１に記載の携帯無線機。
【請求項３】
前記アンテナトップが、前記アンテナロッドの延在方向と垂直な方向に見て矩形状に形成され、前記アンテナロッドが、少なくとも前記ロッド収容状態で、前記アンテナトップの頂面と平行な面内で少なくとも９０°回転可能である、請求項２に記載の携帯無線機。
【請求項４】
前記アンテナロッドの底部を前記筐体の表面部分に向けて付勢する弾性部材を更に備える、請求項１〜３の何れか一に記載の携帯無線機。
【請求項５】
前記筐体が、相互間のスライド移動によって閉止位置と展開位置との間で移行可能な上部筐体及び下部筐体を含む、請求項1〜４の何れか一に記載の携帯無線機。
【請求項６】
前記筐体が、ヒンジを介して相互に回転して閉止位置と展開位置との間で移行可能な上部筐体及び下部筐体を含む、請求項1〜４の何れか一に記載の携帯無線機。
【発明の詳細な説明】
【技術分野】
【０００１】
本発明は、携帯無線機に関し、更に詳しくは、筐体内に収容可能なロッド型アンテナを有する携帯無線機の構造に関する。
【背景技術】
【０００２】
携帯電話機を始めとする携帯無線機では、ホイップアンテナが用いられている。ホイップアンテナは、電波が全方向に均等に放射される無指向性アンテナである。ホイップアンテナは、携帯無線機がＴＶ受信機能を有する場合に、そのＴＶ受信用のアンテナとしても用いられる。携帯電話機のホイップアンテナは、通常時は携帯電話機の筐体内に収容され、使用時に筐体から引き出されるロッド形状のアンテナである。携帯無線機に搭載されるホイップアンテナについては、例えば特許文献１に記載されている。
【０００３】
ところで、携帯電話機では、ヒンジ開閉式筐体を有する携帯電話機（ヒンジ型携帯電話機）が一般的に使用され、また、スライド開閉式筐体を有する携帯電話機（スライド型携帯電話機）も普及し始めている。例えば、スライド型携帯電話機では、通常時には上部筐体と下部筐体とが前後方向に重ねられた閉止状態にあり、携帯電話機の使用時には上部筐体を下部筐体と相対的にスライド移動させることにより、下部筐体が上部筐体から開放される展開状態に至る。前述のホイップアンテナは、一般的には下部筐体に取り付けられる。
【０００４】
筐体の閉止時にデザイン的な洗練感を持たせるためには、ホイップアンテナのアンテナトップの形状を、筐体の外形フォルムと合わせることが望ましい。しかし、アンテナトップにこのような形状を採用すると、筐体の落下時やスライド開閉時などの衝撃により、収納したアンテナロッドが飛び出す可能性がある。ユーザが意図しないアンテナロッドの飛び出しは、ユーザに不快感を与えることがある。
【０００５】
特許文献２には、ロッド型アンテナの飛び出しを抑制するアンテナ取り付け構造が記載されている。この特許文献記載の構造では、アンテナトップの下側のアンテナロッドの周縁の一部に切欠きを設け、その切欠きに係合する舌片を、アンテナロッドを収容する筐体のスロット内に形成している。アンテナロッドをスロット内に収容すると、舌片が切欠きにスナップ的に係合することで、アンテナ収容時における、アンテナの筐体からの飛び出しを抑制している。
【先行技術文献】
【特許文献】
【０００６】
【特許文献１】特開２００９−０４４７０４号公報（図７）
【特許文献２】特開２００５―１６７６５０号公報（図１）
【発明の概要】
【発明が解決しようとする課題】
【０００７】
特許文献２の構造をホイップアンテナに適用すると、アンテナトップの下部構造が長くなり、構造が複雑になる。また、ホイップアンテナのアンテナトップを保持する機能を筐体自体に持たせることは、デザイン的に困難でもある。
【０００８】
本発明は、上記に鑑み、筐体内に収容可能なロッド型アンテナを備え、且つ、デザイン性に優れたアンテナの保持機能を有する携帯無線機を提供することを目的とする。
【課題を解決するための手段】
【０００９】
上記目的を達成するために、本発明は、筐体と、アンテナロッド及び該アンテナロッドの先端に支持されたアンテナトップを有し、前記アンテナロッドが前記筐体に収容及び突出自在に支持されるアンテナとを備え、前記アンテナロッドが前記筐体内に収容されたロッド収容状態で、前記アンテナトップの頂部を前記筐体に係止する係止部を前記筐体の表面部分に形成して成る携帯無線機を提供する。
【発明の効果】
【００１０】
本発明の携帯無線機では、アンテナトップの寸法が大きくなることがなく、また、アンテナトップやアンテナロッドの構造がさほど複雑になることもない。
【図面の簡単な説明】
【００１１】
【図１】本発明の第１の実施形態に係る携帯無線機を、ホイップアンテナが下部筐体から引き出された状態で示す斜視図。
【図２】図１の携帯無線機を、ホイップアンテナが下部筐体のスロット内に収容された状態で示す斜視図。
【図３】図１の無線通信機を、ホイップアンテナのアンテナトップを図２の状態から９０°回転させた状態で示す斜視図。
【図４】本発明の第２の実施形態に係る携帯無線機を、ホイップアンテナが下部筐体から引き出された状態で示す斜視図。
【図５】図４の携帯無線機を、ホイップアンテナが下部筐体のスロット内に収容された状態で示す斜視図。
【図６】図４の無線通信機を、ホイップアンテナのアンテナトップを図５の状態から９０°回転させた状態で示す斜視図。
【００１２】
本発明の実施形態を説明する前に、本発明の概要を説明する。本発明の携帯無線機は、その最小構成として、筐体と、アンテナロッド及び該アンテナロッドの先端に支持されたアンテナトップを有し、前記アンテナロッドが前記筐体に収容及び突出自在に支持されるアンテナとを備え、前記アンテナロッドが前記筐体内に収容されたロッド収容状態で、前記アンテナトップの頂部を前記筐体に係止する係止部を前記筐体の表面部分に形成している。
【００１３】
本発明の携帯無線機では、アンテナトップの頂部を係止する係止部を筐体の表面部分に形成したので、アンテナトップの下部構造の寸法が増大することはなく、また、アンテナトップやアンテナロッドの構造がさほど複雑になることもない。更に、アンテナトップの形状を筐体のフォルムに合致させることも容易になる。
【００１４】
以下、図面を参照して本発明の実施形態に係る携帯無線機について説明する。図１〜図３はそれぞれ、本発明の第１の実施形態に係る携帯無線機の斜視図である。図１は、上部筐体１１及び下部筐体１２が展開された状態であって、ホイップアンテナ１５を伸張させた状態で示している。図２は、上部筐体１１及び下部筐体１２が展開された状態であって、ホイップアンテナ１５を縮小させ、下部筐体１２内に収容した状態で示している。また、図３は、図２のホイップアンテナ１５のアンテナトップ１７を反時計方向に９０°回転させた状態で示している。本実施形態におけるホイップアンテナ１５は、例えば伸縮式デジタルテレビ受信用アンテナである。
【００１５】
携帯無線機１０は、上部筐体１１と下部筐体１２とが、相互間のスライド移動によって展開状態と閉止状態との間で姿勢を変化させることが出来る。下部筐体１２には、アンテナロッド１６を収容するスロットが形成されており、また、そのスロットの開口部分に隣接して、切欠き１３が形成されている。ホイップアンテナ１５は、アンテナロッド１６と、アンテナロッド１６の上端に支持されたアンテナトップ１７とを有し、アンテナロッド１６には、下端付近に可倒部１８が形成されている。
【００１６】
アンテナロッド１６の可倒部１８の角度を調節することによって、ホイップアンテナ１５の向きを調節することが出来る。例えば、筐体を横長の状態で使用するときなどに可倒部１８の角度を調節する。アンテナロッド１６は、ワイヤ１６Ａ及びワイヤ１６Ａを収容するチューブ１６Ｂからなり、ワイヤ１６Ａをチューブ１６Ｂ内に収容することで長さが縮小し、ワイヤ１６Ａをチューブ１６Ｂから引き出すことで長さが伸張する。アンテナロッド１６は、長さが縮小した状態で、その全体が下部筐体１２に形成されたスロット内に収容される。アンテナトップ１７は、ワイヤ１６Ａに支持され、ワイヤ１６Ａと共に、チューブ１６Ｂ及び下部筐体１２と相対的に回転可能である。
【００１７】
アンテナトップ１７は、概ね直方体形状を有し、直方体の頂部には、正方形状の頂面と該頂面よりも１段低い低面とに頂部を区画する段差が形成されている。下部筐体１２の切欠き１３は、アンテナトップ１７の外形形状とほぼ同じ形状を有する。切欠き１３には、下部筐体１２の頂面から切欠き１３の方向に延びる庇状突起１４が形成されている。庇状突起１４の張出し長さは、アンテナトップ１７の低面の幅にほぼ等しい。
【００１８】
以下、上記構成の携帯無線機１０におけるアンテナの取り扱いについて説明する。ホイップアンテナ１５は、図１の伸張状態から、アンテナロッド１６のワイヤ１６Ａをチューブ１６Ｂ内に収容することで収縮させ、その状態で下部筐体１２のスロット内に収容させる。このアンテナロッド１６の収容によって、携帯無線機１０は、図２におけるアンテナロッド１６の収容状態に至る。アンテナロッド１６の下端は、スロットの底部に形成された支持部材によって径方向に位置が固定されている。アンテナロッド１６の下端は、更に、軸方向に伸縮する弾性部材によって、スロットの開口方向に付勢されている。ホイップアンテナ１５は、ユーザがアンテナトップ１７をスロットの底部に向かって押すことにより、弾性部材の付勢に抗してスロットの底部に当接する。このとき、アンテナトップ１７の頂面は、庇状突起１４の底面よりも幾らか低くなる。また、アンテナトップの側面は、図示のように、下部筐体１２の切欠き１３の端部に整列している。
【００１９】
図２の状態から、ユーザがアンテナトップ１７をスロットの底部に押し付けながら、反時計方向に９０°回転させることで、アンテナトップ１７の低面は庇状突起１４の下方に収まるように位置する。なお、アンテナトップ１７と上部筐体１１との間には、アンテナトップの回転を許容する間隙が存在している。次いで、アンテナトップ１７のスロット底部への押圧を解除すると、アンテナトップ１７の低面と、下部筐体１２の庇状突起１４の下面とが当接し、アンテナトップ１７は、庇状突起１４によって係止される。このとき、庇状突起１４の上面は、アンテナトップ１７の頂面と略同一平面内に在り、下部筐体１２の頂面とアンテナトップ１７の頂面とがほぼ平坦な面になる。この状態を図３に示している。アンテナトップ１７の側面は、下部筐体１２の側面に整列している。
【００２０】
図３の状態から、ホイップアンテナ１５を伸張させるためには、上部筐体１１と下部筐体１２の相対位置は、変えても変えなくともよい。まず、キートップ１７を時計方向に９０°回転させることで、キートップ１７の低面と庇状突起１４の係合を解除する。このとき、ホイップアンテナ１５は、図２の状態にある。次いで、アンテナトップ１７を上方向に引っ張り上げることで、アンテナロッド１６は、図１の伸張状態になる。
【００２１】
上記実施形態では、上部筐体１１と下部筐体１２とがスライドするスライド型携帯無線機の例を示した。本実施形態では、ホイップアンテナ１５のアンテナトップ１７を収容する切欠き１３を下部筐体１２の頂部に形成し、且つ、その切欠き１３に庇状突起１４を設け、アンテナトップ１７を係止している。このため、筐体のスライド開閉時などにおいて、アンテナロッド１６が筐体から飛び出すことがない。
【００２２】
図４〜図６は、本発明の第２の実施形態に係る携帯無線機を、図１〜図３と同様に示している。本実施形態の携帯無線機２０は、上部筐体２１及び下部筐体２２が図示しないヒンジを介して開閉可能な折畳式構造を有する。下部筐体２２には、可倒部２８を有する伸縮可能なデジタルテレビ受信用ホイップアンテナ２５が、スロット内に収容及び突出自在に設けられている。ホイップアンテナ２５は、アンテナロッド２６及びその先端に支持されたアンテナトップ２７を有する。アンテナロッド１６は、ワイヤ２６Ａとワイヤ２６Ａを収容するチューブ２６Ｂとを有する。下部筐体２２には、その頂部に切欠き２３が形成されており、切欠き２３は、アンテナトップ２７を収容し、庇状突起２４がアンテナトップ２７の頂部を係止している。本実施形態の携帯無線機２０は、図４〜図６に示すように、第１の実施形態の携帯無線機１０とは、筐体の構造が折り畳み型式筐体であることを除けば、その構造が実質的に同じである。
【００２３】
上記各実施形態では、アンテナがホイップアンテナである例を示した。しかし、本発明のアンテナは、必ずしもホイップアンテナに限るものではなく、ロッド型のアンテナであって、アンテナトップの頂部が、筐体に形成された係止部によって有効に係止されれば足りる。アンテナを支持する筐体は、上部筐体でも下部筐体でもよく、或いは、一体構造の筐体でもよい。アンテナトップの形状は、ほぼ長方形状であることが、デザイン的な観点から好ましい。
【００２４】
以上、本発明を特別に示し且つ例示的な実施形態を参照して説明したが、本発明は、その実施形態及びその変形に限定されるものではない。当業者に明らかなように、本発明は、添付の特許請求の範囲に規定される本発明の精神及び範囲を逸脱することなく、種々の変更が可能である。
【符号の説明】
【００２５】
１０、２０      携帯無線機
１１、２１      上部筐体
１２、２２      下部筐体
１３、２３      切欠き
１４、２４      庇状突起
１５、２５      ホイップアンテナ
１６、２６      アンテナロッド
１６Ａ、２６Ａ    ワイヤ
１６Ｂ、２６Ｂ    チューブ
１７、２７      アンテナトップ
１８、２８      可倒部
【図１】
2011135304.tif 000003
【図２】
2011135304.tif 000004
【図３】
2011135304.tif 000005
【図４】
2011135304.tif 000006
【図５】
2011135304.tif 000007
【図６】
2011135304.tif 000008